(57)【要約】      （修正有）【課題】使用者のバランス強化のために設けたアウトソールの接地面の曲面形状を補強し、使用者の体重によりバランスポイントが変わることを防止ないし低減可能なアウトソールを提供する。【解決手段】シューズ１０のアウトソール３０であって、前記アウトソール３０の接地面３１は、前記アウトソール３０の前後方向及び左右方向において、地面側に凸状の曲面を有するように構成され、前記アウトソール３０の内部には、前記接地面３１を補強するための複数の突起部が設けられている。【選択図】図１−１
2020092763.tif 000002
【特許請求の範囲】
【請求項１】
シューズのアウトソールであって、
前記アウトソールの接地面は、前記アウトソールの前後方向及び左右方向において、地面側に凸状の曲面を有するように構成され、
前記アウトソールの内部には、前記接地面を補強するための複数の突起部が設けられている、前記アウトソール。
【請求項２】
前記複数の突起部は、前記アウトソールの内部の足側の面に固定され、前記複数の突起部のうちの一部又は全ては、これら突起部の先端と前記接地面との間の距離が一定となるように設計されている、請求項１に記載のアウトソール。
【請求項３】
前記接地面の曲面は、前記前後方向において２００〜３３０の範囲のＲ値を有し、前記左右方向において２０〜１００のＲ値を有する、請求項１又は２に記載のアウトソール。
【請求項４】
前記アウトソールの前後方向の長さをＬとすると、
前記接地面は、前記アウトソールのつま先部分から長さ２Ｌ／５から長さ３Ｌ／５の範囲に前記曲面の頂点がくるように構成され、且つ、
（i）前記アウトソールのつま先部分から長さＬ／５の位置における前記左右方向の前記接地面の曲面のＲ値は、５０〜１００の範囲にあり、且つ／又は、
（ii）前記アウトソールのつま先部分から長さ２Ｌ／５の位置における前記左右方向の前記接地面の曲面のＲ値は、５０〜８０の範囲にあり、且つ／又は、
（iii）前記アウトソールのつま先部分から長さ３Ｌ／５の位置における前記左右方向の前記接地面の曲面のＲ値は、２０〜４０の範囲にあり、且つ／又は、
（iv）前記アウトソールのつま先部分から長さ４Ｌ／５の位置における前記左右方向の前記接地面の曲面のＲ値は、５０〜８０の範囲にある、請求項３に記載のアウトソール。
【請求項５】
請求項１〜４のいずれか１項に記載のアウトソールを備えたシューズ。
【請求項６】
ゴルフトレーニング用シューズである請求項５に記載のシューズ。
【請求項７】
シューズ又は足に装着されるバランス矯正用器具であって、
前記器具の接地面は、前記器具の前後方向及び左右方向において、地面側に凸状の曲面を有するように構成され、
前記器具の内部には、前記接地面を補強するための複数の突起部が設けられ、
前記複数の突起部は、前記器具の内部の足側の面に固定され、前記複数の突起部のうちの一部又は全ては、これら突起部の先端と前記接地面との間の距離が一定となるように設計されている、前記器具。
【請求項８】
前記接地面の曲面は、前記前後方向において２００〜３３０の範囲のＲ値を有し、
前記器具の前後方向の長さをＬとすると、
前記接地面は、前記アウトソールのつま先部分から長さ２Ｌ／５から長さ３Ｌ／５の範囲に前記曲面の頂点がくるように構成され、且つ、
（i）前記器具のつま先部分から長さＬ／５の位置における前記左右方向の前記接地面の曲面のＲ値は、５０〜１００の範囲にあり、且つ／又は、
（ii）前記器具のつま先部分から長さ２Ｌ／５の位置における前記左右方向の前記接地面の曲面のＲ値は、５０〜８０の範囲にあり、且つ／又は、
（iii）前記器具のつま先部分から長さ３Ｌ／５の位置における前記左右方向の前記接地面の曲面のＲ値は、２０〜４０の範囲にあり、且つ／又は、
（iv）前記器具のつま先部分から長さ４Ｌ／５の位置における前記左右方向の前記接地面の曲面のＲ値は、５０〜８０の範囲にある、請求項７に記載の器具。
【発明の詳細な説明】
【技術分野】
【０００１】
本発明は、アウトソール、ゴルフトレーニング用シューズ、及びバランス矯正用器具に関する。
【背景技術】
【０００２】
従来より、靴底（アウトソール）の接地面の形状を船底型楕円状に形成し、使用者のバランス感覚を向上させるシューズは知られている。
【０００３】
特許文献１は、靴の接地面を重心よりも前方内側に一番高い位置に設定する船底型楕円形状にした足腰矯正強化用の訓練靴を開示する。特許文献２は、バランス感覚を鍛え、歩く等の前進機能効果を上げるための、アウトソールの接地面が前後方向に凸状の曲面をなした不安定な履物を開示する。特許文献３は、アウトソールの接地面を半球体とした、使用者の足首の怪我の予防とその部位を強化するための足首強化履物を開示する。
【先行技術文献】
【特許文献】
【０００４】
【特許文献１】特開昭６１−１８７８０３号公報
【特許文献２】特開２０１３−８１７４１号公報
【特許文献３】特開平９−３０８７０６号公報
【発明の概要】
【発明が解決しようとする課題】
【０００５】
ゴルファーは、ゴルフクラブをスイングする際に、できるだけ体重移動を減らし、ゴルフクラブヘッドからゴルフボールに伝わる力を減衰させず、ゴルフボールを所望の方向及び距離に飛ばすようにすることが望まれる。ゴルファーにとってゴルフクラブのスイング時のバランスを保つこと（過度な体重移動を減らすこと）は、プレーの質を向上させるための重要な要素の一つである。
【０００６】
従来のバランス矯正用のシューズでは、それを履いた使用者の重さによりアウトソールの接地面の形状が歪み、例えば接地面が平坦になってしまう等により、接地面の曲面の頂点が消滅し、バランスをとるべき位置（バランスポイント）が変わってしまうという問題がある。
【０００７】
そこで、本発明は、使用者のバランス強化のために設けたアウトソールの接地面の曲面形状を補強し、使用者の体重により接地面のバランスポイントが変わることを防止ないし低減するアウトソールを提供することを目的とする。
【課題を解決するための手段】
【０００８】
本発明には、下記実施形態が含まれる。
〔１〕
シューズのアウトソールであって、
前記アウトソールの接地面は、前記アウトソールの前後方向及び左右方向において、地面側に凸状の曲面を有するように構成され、
前記アウトソールの内部には、前記接地面を補強するための複数の突起部が設けられている、前記アウトソール。
〔２〕
前記複数の突起部は、前記アウトソールの内部の足側の面に固定され、前記複数の突起部のうちの一部又は全ては、これら突起部の先端と前記接地面との間の距離が一定となるように設計されている、上記〔１〕に記載のアウトソール。
〔３〕
前記接地面の曲面は、前記前後方向において２００〜３３０の範囲のＲ値を有し、前記左右方向において２０〜１００のＲ値を有する、上記〔１〕又は〔２〕に記載のアウトソール。
〔４〕
前記アウトソールの前後方向の長さをＬとすると、
前記接地面は、前記アウトソールのつま先部分から長さ２Ｌ／５から長さ３Ｌ／５の範囲に前記曲面の頂点がくるように構成され、且つ、
（i）前記アウトソールのつま先部分から長さＬ／５の位置における前記左右方向の前記接地面の曲面のＲ値は、５０〜１００の範囲にあり、且つ／又は、
（ii）前記アウトソールのつま先部分から長さ２Ｌ／５の位置における前記左右方向の前記接地面の曲面のＲ値は、５０〜８０の範囲にあり、且つ／又は、
（iii）前記アウトソールのつま先部分から長さ３Ｌ／５の位置における前記左右方向の前記接地面の曲面のＲ値は、２０〜４０の範囲にあり、且つ／又は、
（iv）前記アウトソールのつま先部分から長さ４Ｌ／５の位置における前記左右方向の前記接地面の曲面のＲ値は、５０〜８０の範囲にある、上記〔３〕に記載のアウトソール。
〔５〕
上記〔１〕〜〔４〕のいずれか１項に記載のアウトソールを備えたシューズ。
〔６〕
ゴルフトレーニング用シューズである上記〔５〕に記載のシューズ。
〔７〕
シューズ又は足に装着されるバランス矯正用器具であって、
前記器具の接地面は、前記器具の前後方向及び左右方向において、地面側に凸状の曲面を有するように構成され、
前記器具の内部には、前記接地面を補強するための複数の突起部が設けられ、
前記複数の突起部は、前記器具の内部の足側の面に固定され、前記複数の突起部のうちの一部又は全ては、これら突起部の先端と前記接地面との間の距離が一定となるように設計されている、前記器具。
〔８〕
前記接地面の曲面は、前記前後方向において２００〜３３０の範囲のＲ値を有し、
前記器具の前後方向の長さをＬとすると、
前記接地面は、前記アウトソールのつま先部分から長さ２Ｌ／５から長さ３Ｌ／５の範囲に前記曲面の頂点がくるように構成され、且つ、
（i）前記器具のつま先部分から長さＬ／５の位置における前記左右方向の前記接地面の曲面のＲ値は、５０〜１００の範囲にあり、且つ／又は、
（ii）前記器具のつま先部分から長さ２Ｌ／５の位置における前記左右方向の前記接地面の曲面のＲ値は、５０〜８０の範囲にあり、且つ／又は、
（iii）前記器具のつま先部分から長さ３Ｌ／５の位置における前記左右方向の前記接地面の曲面のＲ値は、２０〜４０の範囲にあり、且つ／又は、
（iv）前記器具のつま先部分から長さ４Ｌ／５の位置における前記左右方向の前記接地面の曲面のＲ値は、５０〜８０の範囲にある、上記〔７〕に記載の器具。
【発明の効果】
【０００９】
本発明の一実施形態に係るゴルフトレーニング用シューズは、使用者のバランス強化のために設けたアウトソールの接地面の曲面形状を補強し、使用者の体重により接地面のバランスポイントが変わることを防止ないし低減することができる。
【図面の簡単な説明】
【００１０】
【図１−１】一実施形態に係るゴルフトレーニング用シューズの外観図である。
【図１−２】一実施形態に係るゴルフトレーニング用シューズの外観図である。
【図２】一実施形態に係るゴルフトレーニング用シューズの断面図である。
【図３】アウトソールの接地面のＲ値を説明するための図である。
【図４】別の実施形態に係るバランス矯正器具の外観図である。
【発明を実施するための形態】
【００１１】
以下、図面を用いて、本発明の一実施形態に係るアウトソール３０を備えたゴルフトレーニング用シューズ１０について説明する。
【００１２】
図１Ａ〜１Ｅは、本実施形態に係るゴルフトレーニング用シューズ１０の外観模式図であり、図１Ａは左側面図、図１Ｂは平面図、図１Ｃは右側面図、図１Ｄは背面図、そして図１Ｅは正面図である。なお、左足用のゴルフトレーニング用シューズ１０について説明するが、右足用のものも同じであり説明は省略する。
【００１３】
ゴルフトレーニング用シューズ１０は、足を保持するアッパー２０と、地面に接するアウトソール３０と、アッパー２０及びアウトソール３０間に設けられたミッドソール４０とを備える。
【００１４】
アッパー２０は、ゴルファー（使用者）の足を締め付け保持するためのベルト２２を備える。ベルト２２の一端は、アッパー２０（又はミッドソール４０）の、足の小指付け根近傍に当たる部位２１に固定され、ベルト２２の他端は、自由端であり、面ファスナー２３（雄又は雌）を備える。ベルト２０は、アッパー２０の、足の土踏まず近傍に設けたサイドウォール２４の開口２５を通って反対側に折り返され、ベルト２２の面ファスナー２３が、アッパー２０に取り付けた対応する面ファスナー２６（雌又は雄）に接着することで、ベルト２２は固定される。このようにベルト２２により使用者の足を保持、固定する。
【００１５】
アウトソール３０の接地面３１は、ゴルフトレーニング用シューズ１０の前後方向及び左右方向において、地面側に凸状の曲面で構成されている。言い換えると、アウトソール３０の接地面３１は、船底型の楕円形状を有する。詳細には後述するが、アウトソール３０の接地面３１の曲面は、アウトソール３０の位置に応じてＲ値を異ならせている。
【００１６】
なお、前後方向は、アウトソール３０の長手方向であり、後述するように、アウトソール３０の踵部分（最後端）から頂点３４とを結ぶ直線の方向であるが、アウトソール３０の踵部分から頂点３４を通りつま先部分（最先端）へ向かう線分の方向としてもよい。左右方向は、アウトソール３０の短手方向であり、前後方向に直行する方向である。
【００１７】
アウトソール３０の接地面３１の曲面の頂点３４は、アウトソール３０の前後方向の中心及び左右方向の中心付近にあり、およそ足の楔状骨に当たる部分に位置する。使用者は、この頂点３４の位置がバランスを取るべき位置（バランスポイント）となるように自身のバランスを矯正することができる。
【００１８】
アウトソール３０の接地面３１には、頂点３４を中心にして、滑り止め効果を向上させるための同心円状に並んだ複数の突起状（又は溝状）の波紋構造３２が形成されている。なお、図３Ａに示すように、波紋構造３２に加えて、複数の微小球構造を設けてもよく（図３Ａ参照）、これにより滑り止め効果やデザイン性をさらに向上させることができる。
【００１９】
ミッドソール４０は、ゴルフトレーニング用シューズ１０の衝撃吸収性や履き心地を向上させる部材である。ミッドソール４０は、アウトソール３０と別部材であってもよいし、一体的な単一の部材で構成されていてもよい。言い換えると、アウトソール３０とミッドソール４０とを合わせて本発明における「アウトソール」と称してもよい。また、ゴルフトレーニング用シューズ１０は、アッパー２０とアウトソール３０で構成し、ミッドソール４０を備えないようにしてもよい。
【００２０】
ミッドソール４０とアウトソール３０は同じ材料で構成されていてもよいし、互いに異なる材料で構成されていてもよい。また、ミッドソール４０のうち比較的大きな負荷のかかる部分には、ガスやゲルを充填したクッション性部材を設けてもよい。
【００２１】
アウトソール３０及びミッドソール４０はそれぞれ、天然ゴム、イソプロピレンゴム（ＩＲ）、ブタジエンゴム（ＢＲ）、スチレンブタジエンゴム（ＳＢＲ）、エチレンプロピレンゴム（ＥＰＭ、ＥＰＤＭ）、アクリロニトリルブタジエンゴム（ＮＢＲ）、アクリルゴム、ウレタンゴム、エチレン酢酸ビニルゴム（ＥＶＡ）、熱可塑性ポリウレタン（ＴＰＵ）、発泡熱可塑性ポリウレタン、及びこれらの組み合わせからなる群から選択される材料で作製される。好ましくは、アウトソール３０には、使用者が履いた際に接地面３１の形状が大きく歪まない程度に高強度の材料を用いるとよい。例えば、アウトソール３０をブタジエンゴム（ＢＲ）又は熱可塑性ポリウレタン（ＴＰＵ）で作製し、ミッドソール４０をエチレン酢酸ビニルゴム（ＥＶＡ）で作製してもよい。
【００２２】
図２Ａは、図１ＢのＡＡ線に沿ったゴルフトレーニング用シューズ１０の断面模式図であり、図２Ｂは図２ＡのＢＢ線に沿った断面模式図である。図２Ａ及び２Ｂにおいてはアッパー２０の図示は省略している。
【００２３】
アウトソール３０の内部には、アウトソール３０の接地面３１を補強するための複数の突起部３６が設けられている。複数の突起部３６は、アウトソール３０内部の足側の面３７（又はミッドソール４０の接着面）に固定されている。突起部３６の材料は、アウトソール３０の材料よりも剛性が強いものを用いるのが好ましいが、アウトソール３０の材料と同じであってもよい。
【００２４】
複数の突起部３６は、アウトソール３０の内部全体にわたり等間隔で（一定密度で）設けられていてもよい。また、荷重を受けやすい部分（例えば、頂点３４、土踏まず、及び／又は母子球にあたる部分など）に、複数の突起部３６を比較的高密度で設けておくことで、荷重によるアウトソール３０の接地面３１の曲面の歪みを防ぐ又は低減することができる。また、使用者が静止した状態では荷重を受けにくい部分（例えば、つま先部分及び／又は踵部分など）には複数の突起部３６を比較的低密度で設けるようにしてもよい。荷重を受けにくい部分は接地面３１の曲面が潰れる可能性が低いため、突起部３６を減らして製造コストを下げることができる。
【００２５】
また、複数の突起部３６の全て又は一部（例えば、使用者の荷重を受けやすい部分にある突起部）は、その接地面３１側の先端（先端に沿う曲面３８）とアウトソール３０の接地面３１との間の距離が一定値ｄとなるように設計される。使用者の荷重がかかりアウトソール３０の接地面３１の曲面に歪みができたとしても、突起部３６が接地面３１に作用して接地面３１を補強し、接地面３１の形状を維持する。なお、接地面３１の形状を維持し、バランスポイントの位置に大きな影響が生じないようにするために、一定値ｄの値をできるだけ小さくするとよい。
【００２６】
アウトソール３０の内部３９は、充実構造であってもよいし、中空構造であってもよい。
【００２７】
アウトソール３０内部３９が充実構造の場合、成形型を用いて足側の面３７に固定された複数の突起部３６を作製した後、それを別の成形型に入れて、アウトソール３０の内部３９及び接地面３１を作製するようにしてもよい。このとき、アウトソール３０の内部３９及び接地面３１の材料の熱で突起部３６が溶け出さないように、突起部３６の材料は、アウトソール３０の内部３９及び接地面３１の材料の融点よりも高い融点を有する材料とするとよい。
【００２８】
また、アウトソール３０の内部３９が充実構造の場合、アウトソール３０の充実状の内部３９に複数の穴を形成し、これを突起部３６としてもよい（即ち、突起部３６が中空構造となる）。そして、該穴を覆うようにミッドソール４０をアウトソール３０に接着するようにしてもよい。この構成により、突起部３６の製造が容易となり、アウトソール３０の製造コストを低減できる。
【００２９】
アウトソール３０の内部３９が中空構造の場合、中空部分に相当する中子を用いる成形型により、複数の突起部３６をアウトソール３０の接地面３１と同じ材料で作製するようにしてもよい。
【００３０】
上記のとおり、本実施形態に係るゴルフトレーニング用シューズ１０においては、アウトソール３０の内部に、前後方向及び左右方向において地面側に凸状の曲面を有する接地面３１を補強するための複数の突起部３６が備えつけられている。この構成により、使用者がゴルフトレーニング用シューズ１０を履いた際に、アウトソール３０の接地面３１の形状が大きく歪み、バランスポイントの位置が変わることが防止又は低減される。このため、使用者は、アウトソール３０の接地面３１の歪みによるバランスポイントの変動を受けることなく、バランス位置を確かめ、自身の体重移動の状態を感覚的につかみ、矯正することが可能となる。
【００３１】
次に、図３を用いて、アウトソール３０の接地面３１の曲面のＲ値について説明する。アウトソール３０の前後方向におけるつま先部分（最後端部分）から踵部分（最先端部分）までの長さをＬする。なお、図３Ｂには、踵部分と頂点３４とを結ぶ線Ｃ１−Ｃ２線が描かれ、図３Ｃには、踵部分から頂点３４を通りつま先部分へ向かう線分Ｃ１−Ｃ３に沿った断面形状が描かれている。
【００３２】
アウトソール３０の接地面３１は、アウトソール３０のつま先部分から長さ２Ｌ／５〜３Ｌ／５の範囲に曲面の頂点３４が位置するに構成されている。
【００３３】
アウトソール３０のつま先部分から長さＬ／５の位置における左右方向の接地面３１の曲面のＲ値（Ｒ１）は、３０〜３００、３５〜２５０、４０〜２００、５０〜１５０、５０〜１００、５０〜９０、６０〜８０、又は７０〜８０の範囲にある。Ｒ１は、好ましくは５０〜１００、さらに好ましくは６０〜８０の範囲にある。
【００３４】
アウトソール３０のつま先部分から長さ２Ｌ／５の位置における左右方向の接地面３１の曲面のＲ値（Ｒ２）は、３０〜２００、３５〜１５０、４０〜１００、４０〜９０、５０〜８０、又は５５〜７０の範囲にある。Ｒ２は、好ましくは４０〜１００、さらに好ましくは５０〜８０の範囲にある。
【００３５】
アウトソール３０のつま先部分から長さ３Ｌ／５の位置における左右方向の接地面３１の曲面のＲ値（Ｒ３）は、２０〜８０、２０〜７０、２０〜６０、２０〜５０、２０〜４０、２５〜４０、又は２５〜３５の範囲にある。Ｒ３は、好ましくは２０〜４０、さらに好ましくは２５〜４０の範囲にある。
【００３６】
アウトソール３０のつま先部分から長さ４Ｌ／５の位置における左右方向の接地面３１の曲面のＲ値（Ｒ４）は、２０〜１００、２５〜９０、３０〜８０、４０〜８０、５０〜８０、５０〜７０、５５〜７０、又は６０〜７０の範囲にある。Ｒ４は、好ましくは５０〜８０、さらに好ましくは５５〜７０の範囲にある。
【００３７】
アウトソール３０の前後方向（図３ＡのＣ１−Ｃ２線又はＣ１−Ｃ３線に沿った）の接地面３１のＲ値（Ｒ５）は、１００〜４００、１２０〜３９０、１４０〜３７０、１６０〜３５０、１８０〜３４０、２００〜３３０、２１０〜３２０、２２０〜３１０、２３０〜３００、２４０〜２９０、又は２５０〜２８０の範囲にある。Ｒ５は、好ましくは２００〜３３０、さらに好ましくは２２０〜３１０、またさらに好ましくは２４０〜２９０の範囲にある。
【００３８】
図３Ｂ及び３Ｃは、従来のゴルフトレーニング用シューズと（比較例）、一実施例に係るゴルフトレーニング用シューズ１０のアウトソール３０の接地面３１のＲ値を比較した図である。比較例に係る従来のゴルフトレーニング用シューズの接地面の形状は破線で描かれている。
【００３９】
アウトソール３０のつま先部分から長さL／５、２Ｌ／５、３Ｌ／５、及び４Ｌ／５の位置における左右方向の接地面の曲面のＲ値はそれぞれ、本実施例では７６、６４、３０、及び６５であり、比較例では４３９、２０８、８４、及び１１４であった。また、前後方向（図３ＡのＣ１−Ｃ３線）におけるアウトソール３０のＲ値は、本実施例では２６９であり、比較例では４８５であった。
【００４０】
上記のとおり、本実施形態に係るゴルフトレーニング用シューズ１０では、アウトソール３０の接地面３１が、従来のものに比べて全体的によく曲がった（曲率が大きい）曲面を有するように構成される。このため、使用者は、ゴルフトレーニング用シューズ１０を履いてゴルフのスイング等の練習をする際に、過度な体重移動により重心がゴルフトレーニング用シューズ１０の中心付近に位置する頂点３４からずれてしまうと、使用者のバランスが崩れやすくなるようになっている。すなわち、ゴルフトレーニング用シューズ１０を履いた使用者は、ゴルフのスイングの練習時等で、自身の体重移動によるバランスの崩れに意識を向けやすく、最適なバランス位置を見つけ、スイング時における過度な体重移動の習慣を矯正することができる。
【００４１】
また、空気が入った袋の上に乗ってゴルフのスイング等を行う従来のバランス矯正器具と違って、本発明では、ゴルフトレーニング用シューズ１０を履いてバランス矯正を行うことができ、手軽であり、たとえ使用者がバランスを崩し転びそうになったとしても、滑り止め（波紋構造３２）が施されたゴルフトレーニング用シューズ１０を履いた足で地面をとらえることができるため、転んだりするリスクも低減できる。
【００４２】
（別の実施形態）
本発明の別の実施形態はバランス矯正器具５０に関する（図４）。本実施実施に係るバランス矯正器具５０は、上記実施形態に係るアウトソール３０と同じ構造の接地面３１を有し、且つ、足や通常の靴への装着を可能にする把持具５５（例えば、鼻緒、ストラップ、又はスリッポンシューズのアッパー部分など）を有する。バランス矯正器具５０の接地面３１の構造及び作用効果は前述のとおりであるので、説明は省略する。
【００４３】
本実施形態のバランス矯正器具５０は、ゴルフトレーニング用シューズの形態でなくても、足や一般的な靴に装着して使用することで、前述のように使用者のバランス矯正を可能にするものである。
【００４４】
上記実施形態で説明される寸法、材料、形状、構成要素の相対的な位置等は任意であり、本発明が適用される装置の構造又は様々な条件に応じて変更される。また、本発明は、具体的に記載された上記実施形態に限定されるものではない。また、本発明の一実施形態に関連して説明した特徴を、たとえ明確に前述していなくても、他の実施形態とともに用いることができる。
【符号の説明】
【００４５】
１０  ゴルフトレーニング用シューズ
２０  アッパー
２２  ベルト
２３、２６  面ファスナー
３０  アウトソール
３１  接地面
３２  波紋構造
３４  頂点（バランスポイント）
３６  突起部
３７  アウトソールの内部の足側の面
４０  ミッドソール
【図１−１】
2020092763.tif 000003
【図１−２】
2020092763.tif 000004
【図２】
2020092763.tif 000005
【図３】
2020092763.tif 000006
【図４】
2020092763.tif 000007